(57)【特許請求の範囲】
【請求項１】
帯状プラスチックシートの左右両側で切断、分離されたトリム（１ａ，１ｂ）を細断するプラスチックトリム細断装置であって、
分離された２条のプラスチックトリムを別々に通す、２本のダンサーロール（２ａ，２ｂ）と、
前記各ダンサロールの変位検出器（３ａ，３ｂ）と、
各ダンサロールを通過したプラスチックトリムをそれぞれ独立して引き取り、スリットする２台のスリッターロール（４ａ，４ｂ）と、
スリットされたプラスチックトリムをまとめて切断する１台のロータリカッタ（５）と、
からなることを特徴とする、プラスチックトリム細断装置。
【請求項２】
■
左右両側で切断、分離された帯状プラスチックシートの２条のトリムを、それぞれ独立して作動するダンサーロールに別々に通し、ダンサーロールの変位量を検出しておいて、
ダンサーロールを通過した２条のトリムを、検出した変位量が所定の範囲内にとどまるように引取速度を調整しつつ、２台のスリッターロールを用いて別々に引取ってスリットし、
スリットされたトリムをまとめて１台のロータリーカッタを用いて切断することを特徴とする、プラスチックトリム細断方法。
【発明の詳細な説明】
【０００１】
【発明の属する技術分野】
本発明は、帯状のプラスチックフィルムやプラスチックシートなど（以下、プラスチックシートと総称する）の製造工程で発生するプラスチックトリム（いわゆる、みみ、以下、トリムという）を引き取って細断する、プラスチックトリム細断装置および細断方法に関する。トリムを回収し、再使用するプロセスに好ましく利用することができる。
【０００２】
【従来の技術】
プラスチックシートの製造工程で副生するトリムは、通常、エゼクターなどにより連続的に吸引され、ニューマチックコンベアで細断機や粉砕機に送られ、細断もしくは粉砕した後、溶解し、ペレット化して再使用されている。
【０００３】
【発明が解決しようとする課題】
ところが、前記のトリム回収方法は騒音が激しいので、騒音源の細断機や粉砕機を別の場所に隔離して設置し、ニューマチックコンベアで搬送していた。しかし、離れた場所までトリムを搬送するために大量の気体を必要とし、エゼクターなどの吸引装置から発生する騒音が大きくなって、依然、大きな労働環境上の課題になっていた。一部では、左右両端で発生するトリムを１つにまとめ、騒音の少ない１台のスリッターロールに引き取ってスリットし、さらに細断機を用いて細断していた。しかし、左右のトリムをまとめて引き取るために、操業中、片方のトリムに生じるたるみまたは過度の引張りのために、円滑にスリットすることができなくなり操業に支障をきたすことがあるので、その場合、いずれか一方のトリムを切断し、スリッターロールに挿入しなおして、左右のたるみを揃える必要があった。本発明は、労働環境に配慮し、円滑にトリムを細断する装置と、その方法とを提供するために完成されたものである。
【０００４】
【課題を解決するための手段】
図面を参照して本発明を説明する。本発明は、帯状プラスチックシートの左右両側で切断、分離されたトリム（１ａ，１ｂ）を細断するプラスチックトリム細断装置であって、
分離された２条のプラスチックトリムを別々に通す、２本のダンサーロール（２ａ，２ｂ）と、
前記各ダンサロールの変位検出器（３ａ，３ｂ）と、
各ダンサロールを通過したプラスチックトリムをそれぞれ独立して引き取り、スリットする２台のスリッターロール（４ａ，４ｂ）と、
スリットされたプラスチックトリムをまとめて切断する１台のロータリカッタ（５）と、
からなることを特徴とする、プラスチックトリム細断装置を提供する。
【０００５】
さらに本発明は、左右両側で切断、分離された帯状プラスチックシートの２条のトリムを、それぞれ独立して作動するダンサーロールに別々に通し、ダンサーロールの変位量を検出しておいて、
ダンサーロールを通過した２条のトリムを、検出した変位量が所定の範囲内にとどまるように引取速度を調整しつつ、２台のスリッターロールを用いて別々に引取ってスリットし、
スリットされたトリムをまとめて１台のロータリカッタを用いて切断することを特徴とする、プラスチックトリム細断方法を提供する。
【０００６】
【発明の実施の形態】
本発明の実施形態例を示す図面を参照しながら、本発明を具体的に説明する。図１は、本発明にかかるプラスチックトリム細断装置の平面概略図、図２は一部を欠き取った側面説明図、図３は図２Ａ−Ａ´矢視概略図（カバー部を除く）、図４はスリッターロール部分の一部断面平面図である。
【０００７】
トリムカッター（不図示）によりプラスチックシート本体から切断、分離された左右２条のトリム１ａ，１ｂは、挿入ガイドロール６ａ，６ｂによってそれぞれ別々に本発明のプラスチックトリム細断装置に挿入される。挿入された２条のトリムはそれぞれダンサーロール２ａ，２ｂを通して第２ガイドローラ７ａ，７ｂに導かれる。ダンサーロール２ａ，２ｂにはそれぞれ変位検出器３ａ，３ｂが取付けられており、ダンサーロール２ａ，２ｂの変位を検出し、トリム１ａ，１ｂのたるみ具合を測定している。変位検出器の形式に特別の制限はない。例えば、図１の実施形態例ではダンサーロールの変位を取付アーム７ａ，７ｂの変位角として検出する検出器が用いられている。
【０００８】
ダンサーロール２ａ，２ｂから第２ガイドロール８ａ，８ｂに導かれたトリム１ａ，１ｂは、それぞれシート挿入口９ａ，９ｂから、嵌合い回転刃による２組のスリッターロール４ａ，４ｂに引き取られ、所要の幅にスリットされる。スリッターロールの周縁面は、トリムがスリップしないで、スムーズに引き取られるようにギア加工を施しておくとよい。図４にはスリッターロール部分の断面を示した。スリッターロール４ａ，４ｂによるトリム１ａ，１ｂの引取速度は、前記の変位検出器３ａ，３ｂからの信号にもとづき、直接的、または間接的に各条ごとにダンサーロール２ａ，２ｂの位置が所定の範囲内にとどまるように、独立して制御される。条件により、速度制御にオン・オフ制御を採用することもできる。
【０００９】
スリッターロール４ａ，４ｂにより、スリットされた１ａ，１ｂは、まとめて例えば重力によって１台の切断機、ロータリカッター５に送入され、四角ペレットに短く切断される。本発明において１台の切断機には、例えば、１台の回転刃用モータに、同軸の回転刃１２を２個取付け、スリットされた１ａおよび１ｂをそれぞれ細断させることも含まれる。
【００１０】
【発明の効果】
本発明のプラスチック細断装置を利用すれば、２条のトリムを一方をたるませたり、過度に引っ張ることなく、別々に自動的に速度調整して引き取ってスリットし、四角に細断することができる。また、騒音が小さいので、操業現場に設置しても問題は少ないという効果を奏する。とくに、トリムの発生速度が比較的遅いプロセスに好適であって、厚手のプラッスチックシートの切断に際し、粉体を発生させることなく、直接、四角なペレットとして回収することができる利点がある。
【図面の簡単な説明】
【図１】  本発明にかかるプラスチックトリム細断装置の平面概略図
【図２】  一部を欠き取った側面説明図
【図３】  図２Ａ−Ａ´矢視概略図（カバー部を除く）
【図４】  スリッターロール部分の平面図
【符号の説明】
１ａ，１ｂ：プラスチックトリム
２ａ，２ｂ：ダンサーロール    ３ａ，３ｂ：ダンサロールの変位検出器
４ａ，４ｂ：スリッターロール    ５：ロータリカッタ
６ａ，６ｂ：挿入ガイドロール    ７ａ，７ｂ：取付アーム
８ａ，８ｂ：第２ガイドロール    ９ａ，９ｂ：シート挿入口
１０ａ，１０ｂ：スリッター用モータ
１１：ロータリーカッタ回転刃用モータ    １２：回転刃
【図１】
0003647165.tif 000002
【図２】
0003647165.tif 000003
【図３】
0003647165.tif 000004
【図４】
0003647165.tif 000005